(57)【要約】【課題】サイフォン現象による充分な排水能力を発揮しやすくした漏斗を提供する。【解決手段】軒樋１１と竪樋とを接続する漏斗１６であって、上方が開口した凹部１７ａが水平面に沿って延び、水平面に沿う方向の両端部が軒樋に連結される本体部１７と、本体部の底壁部２４に形成された落し口２４ａに連なり、下方に向かうに従い漸次内径が小さくなる第１縮径部１８と、第１縮径部の下端部に連なり、下方に向かって延びる大径筒部１９と、を備え、大径筒部の軸線Ｏを含む断面Ｓ１において、第１縮径部と大径筒部との接続部分２８の内周面は、内側に向かって凸となるように湾曲している。【選択図】図２
2019138090.tif 000002
【特許請求の範囲】
【請求項１】
軒樋と竪樋とを接続する漏斗であって、
上方が開口した凹部が水平面に沿って延び、水平面に沿う方向の両端部が前記軒樋に連結される本体部と、
前記本体部の底壁部に形成された落し口に連なり、下方に向かうに従い漸次内径が小さくなる第１縮径部と、
前記第１縮径部の下端部に連なり、下方に向かって延びる大径筒部と、
を備え、
前記大径筒部の軸線を含む断面において、前記第１縮径部と前記大径筒部との接続部分の内周面は、内側に向かって凸となるように湾曲している漏斗。
【請求項２】
前記大径筒部の下端部に連なり、下方に向かうに従い漸次内径が小さくなる第２縮径部と、
前記第２縮径部の下端部に連なり、下方に向かって延びて前記大径筒部よりも外径が小さく形成された小径筒部と、
を備える請求項１に記載の漏斗。
【請求項３】
前記断面において、前記第２縮径部と前記小径筒部との接続部分の内周面は、内側に向かって凸となるように湾曲している請求項２に記載の漏斗。
【請求項４】
前記断面において、前記大径筒部と前記第２縮径部との接続部分の内周面は、外側に向かって凹むように湾曲している請求項２又は３に記載の漏斗。
【請求項５】
請求項１から４のいずれか一項に記載の漏斗を備えるサイフォン雨樋システム。
【発明の詳細な説明】
【技術分野】
【０００１】
本発明は、漏斗及びサイフォン雨樋システムに関する。
【背景技術】
【０００２】
一般に、建築物には、屋根から流れ落ちる雨水を受け止め、地上へと流し込むための雨樋が設けられる。雨樋は、軒樋、漏斗（じょうご、集水器）、呼び樋、竪樋、連結管、エルボ継手、チーズ継手等の部材が複数組みあわされて構成される。近年、雨樋の排水能力を高めるために、竪樋の内部を満水状態にすることによって、水の吸引作用（いわゆる、サイフォン現象）を発生させ、排水量を飛躍的に増大させるサイフォン雨樋システムが提案されている。
【０００３】
例えば、特許文献１に開示されたサイフォン式雨水排水装置では、軒先に取付けられた軒樋の底部に、サイフォン管の上端が接続される。このサイフォン管は、家屋の外壁材に沿って上下方向に設けられる。
【先行技術文献】
【特許文献】
【０００４】
【特許文献１】特開２００４−３０８３９９号公報
【発明の概要】
【発明が解決しようとする課題】
【０００５】
しかしながら、特許文献１のサイフォン式雨水排水装置では、排水装置の内部を流れる雨水が流れる速度が低下すると、サイフォン現象による充分な排水能力を発揮することが困難になる。
【０００６】
本発明は、このような問題点に鑑みてなされたものであって、サイフォン現象による充分な排水能力を発揮しやすくした漏斗、及びこの漏斗を備えるサイフォン式雨水排水装置を提供することを目的とする。
【課題を解決するための手段】
【０００７】
上記課題を解決するために、この発明は以下の手段を提案している。
本発明の漏斗は、軒樋と竪樋とを接続する漏斗であって、上方がｓ開口した凹部が水平面に沿って延び、水平面に沿う方向の両端部が前記軒樋に連結される本体部と、前記本体部の底壁部に形成された落し口に連なり、下方に向かうに従い漸次内径が小さくなる第１縮径部と、前記第１縮径部の下端部に連なり、下方に向かって延びる大径筒部と、を備え、前記大径筒部の軸線を含む断面において、前記第１縮径部と前記大径筒部との接続部分の内周面は、内側に向かって凸となるように湾曲していることを特徴としている。
【０００８】
この発明によれば、軒樋、及び漏斗の本体部を介して第１縮径部内に流れ込んだ雨水は、第１縮径部と大径筒部との接続部分内を通して、大径筒部内に流れ込む。このとき、接続部分の内周面が、内側に向かって凸となるように湾曲しているため、接続部分の内周面に内側に向かって凸となる角部が形成されている場合等に比べて、接続部分内を流れる雨水の流れの変化が緩やかになる。このため、接続部分内を流れる雨水に圧力損失が生じるのが抑えられ、接続部分内を流れる雨水の速度が低下しにくくなる。従って、サイフォン現象による充分な排水能力を漏斗が発揮しやすくすることができる。
【０００９】
また、上記の漏斗において、前記大径筒部の下端部に連なり、下方に向かうに従い漸次内径が小さくなる第２縮径部と、前記第２縮径部の下端部に連なり、下方に向かって延びて前記大径筒部よりも外径が小さく形成された小径筒部と、を備えてもよい。
この発明によれば、漏斗に接続するエルボ継手や竪樋等を、大径筒部に対応する内径の大きいものと、小径筒部に対応する内径の小さいものとで、選択して用いることができる。漏斗にエルボ継手等を接続する際に、内径の小さいエルボ継手等を接続する場合には、漏斗をそのまま用いてもよい。内径の大きいエルボ継手等を接続する場合には、漏斗から第２縮径部及び小径筒部を切り離して用いてもよい。
【００１０】
また、上記の漏斗において、前記断面において、前記第２縮径部と前記小径筒部との接続部分の内周面は、内側に向かって凸となるように湾曲していてもよい。
この発明によれば、接続部分の内周面に内側に向かって凸となる角部が形成されている場合等に比べて、第２縮径部と小径筒部との接続部分内を流れる雨水の流れの変化が緩やかになって圧力損失が生じるのが抑えられる。従って、漏斗が、サイフォン現象による充分な排水能力をさらに発揮しやすくすることができる。
【００１１】
また、上記の漏斗において、前記断面において、前記大径筒部と前記第２縮径部との接続部分の内周面は、外側に向かって凹むように湾曲していてもよい。
この発明によれば、接続部分の内周面が角部が形成されるように凹んでいる場合等に比べて、大径筒部と第２縮径部との接続部分内を流れる雨水の流れの変化が緩やかになり、接続部分内に渦等が生じにくくなる。これにより、接続部分内を流れる雨水に圧力損失が生じるのが抑えられ、漏斗が、サイフォン現象による充分な排水能力をさらに発揮させやすくすることができる。また、この接続部分の内周面が角部が形成されるように凹んでいる場合等に比べて、漏斗に作用する外力を受けても接続部分に応力が集中しにくくなり、この接続部分が破断し難くなる。
【００１２】
また、本発明のサイフォン雨樋システムは、上記のいずれかに記載の漏斗を備えることを特徴としている。
この発明によれば、サイフォン現象による充分な排水能力を発揮しやすくした漏斗を用いてサイフォン雨樋システムを構成することができる。
【発明の効果】
【００１３】
本発明の漏斗及びサイフォン式雨水排水装置によれば、サイフォン現象による充分な排水能力を発揮しやすくすることができる。
【図面の簡単な説明】
【００１４】
【図１】本発明の一実施形態のサイフォン式雨水排水装置を一部を破断して側面視した図である。
【図２】図１中の切断線Ａ１−Ａ１の断面図である。
【図３】一実施形態の漏斗に、内径がより大きい第１エルボを固定する場合について説明する側面視した断面図である。
【図４】同漏斗の縦断面図である。
【図５】本発明の実施形態の変形例におけるサイフォン式雨水排水装置の縦断面図である。
【図６】変形例の漏斗に、内径がより大きい第１エルボを固定する場合について説明する側面視した断面図である。
【図７】同漏斗の縦断面図である。
【発明を実施するための形態】
【００１５】
以下、本発明に係るサイフォン雨樋システムの一実施形態を、図１から図７を参照しながら説明する。
図１及び図２に示すように、本実施形態のサイフォン雨樋システム１は、軒樋１１と、本実施形態の漏斗１６と、第１エルボ継手３６と、呼び樋４１と、第２エルボ継手４６と、竪樋５１と、を備えている。なお、図２では、説明の便宜のために、漏斗１６に対して第１エルボ継手３６及び呼び樋４１が取付けられる向きを、上下方向Ｄ１に沿う軸線周りに９０°回転させて示している。
【００１６】
軒樋１１は、図示しない建築物の屋根の軒下に固定されている。軒樋１１は、上方に向かって開口している。軒樋１１は、ほぼ水平面に沿って配置されている。軒樋１１は、漏斗１６に連結される端部が漏斗１６に連結されない端部よりも下方に位置し、軒樋１１が水勾配（例えば、１／３００）程度傾くように配置されている。
なお、サイフォン雨樋システム１に漏斗１６が複数設けられる場合には、漏斗１６の間の軒樋１１の長さは３０ｍ以下とされる。また、サイフォン雨樋システム１に漏斗１６が１つ設けられる場合には、軒樋１１の端部（止り）から漏斗１６までの距離が１５ｍ以下とされる。
【００１７】
漏斗１６は、軒樋１１と竪樋５１とを、第１エルボ継手３６、呼び樋４１、及び第２エルボ継手４６を介して接続している。漏斗１６は、本体部１７と、第１縮径部１８と、大径筒部１９と、第２縮径部２０と、小径筒部２１と、を備えている。
本体部１７は、底壁部２４と、側壁部２５，２６と、を備えている。底壁部２４は、厚さ方向が上下方向Ｄ１に沿うように配置されている。底壁部２４は、屋根の外縁部に沿う延在方向Ｄ２に沿って延びている。延在方向Ｄ２は、水平面に沿う方向である。
上下方向Ｄ１に沿った平面視における底壁部２４の中央部には、底壁部２４を上下方向Ｄ１に貫通する貫通孔である落し口２４ａが形成されている。落し口２４ａは、平面視において円形状又は楕円形状等である。しかし、平面視における落し口２４ａの形状はこれらの形状に限られず、四角形や長方形等であってもよい。
【００１８】
側壁部２５，２６は、底壁部２４における、上下方向Ｄ１及び延在方向Ｄ２にそれぞれ直交する幅方向Ｄ３の端部にそれぞれ立設している。側壁部２５，２６は、底壁部２４の延在方向Ｄ２の全長にわたって形成されている。側壁部２５，２６間の距離は、上方に向かうに従い漸次大きくなる。
底壁部２４及び側壁部２５，２６により、本体部１７に上方が開口した凹部１７ａが形成されている。凹部１７ａは、延在方向Ｄ２に延びるように形成されている。
図２に示すように、本体部１７の延在方向Ｄ２の両端部内には、軒樋１１が配置されている。本体部１７の端部内に軒樋１１が配置されていることにより、本体部１７と軒樋１１とが連結されている。この例では、軒樋１１は本体部１７に固定されていない。このため、軒樋１１の伸縮等により、本体部１７に対して軒樋１１が延在方向Ｄ２に移動できる。
【００１９】
図１及び図２に示すように、本実施形態では、第１縮径部１８及び第２縮径部２０はそれぞれ円環状に形成され、大径筒部１９及び小径筒部２１はそれぞれ円筒状に形成されている。縮径部１８，２０及び筒部１９，２１の軸線は、共通軸と同軸に配置されている。以下、この共通軸を軸線Ｏと言う。軸線Ｏは、上下方向Ｄ１に沿って配置されている。
第１縮径部１８は、下方に向かうに従い漸次、内径及び外径がそれぞれ小さくなるように形成されている。軸線Ｏを含む断面Ｓ１において、第１縮径部１８の内周面及び外周面は、それぞれ直線状に形成されている。第１縮径部１８の上端部は、底壁部２４における落し口２４ａの開口周縁部に連なっている。
【００２０】
大径筒部１９の上端部は第１縮径部１８の下端部に連なり、大径筒部１９は第１縮径部１８から下方に向かって延びている。大径筒部１９の軸線Ｏと平行な方向の長さは３０ｍｍ以上１２０ｍｍ以下が好ましく、３５ｍｍ以上１００ｍｍ以下がより好ましく、４０ｍｍ以上８０ｍｍ以下がさらに好ましい。
大径筒部１９の長さを上記下限値以上とすることにより、後述する第１接続部２８の内周面における曲率半径を大きくしつつ、第１エルボ継手３６の受け口３８と漏斗１６との接着しろを確保することができる。大径筒部１９の長さを上記上限値以下とすることにより、漏斗１６の製造コストを低くすることができる。
【００２１】
図２に示すように、断面Ｓ１において、第１縮径部１８と大径筒部１９との接続部分である第１接続部２８の内周面は、内側（軸線Ｏ側）に向かって凸となるように湾曲している。断面Ｓ１において、第１接続部２８の外周面は、内側に向かって凹むように湾曲している。第１接続部２８の内周面及び外周面は、軸線Ｏ周りの全周にわたってこのように形成されている。後述する第２接続部２９及び第３接続部３０も同様である。
第１接続部２８の内周面は、第１縮径部１８の内周面、及び大径筒部１９の内周面にそれぞれ滑らかに連なっていることが好ましい。断面Ｓ１において、第１接続部２８の内周面における曲率半径は、１０ｍｍ以上６０ｍｍ以下であることが好ましく、１５ｍｍ以上５０ｍｍ以下であることがより好ましく、２０ｍｍ以上４０ｍｍ以下であることがさらに好ましい。
【００２２】
第２縮径部２０は、下方に向かうに従い漸次、内径及び外径がそれぞれ小さくなるように形成されている。第２縮径部２０の上端部は、大径筒部１９の下端部に連なっている。
断面Ｓ１において、大径筒部１９と第２縮径部２０との接続部分である第２接続部２９の内周面は、外側（軸線Ｏとは反対側）に向かって凹むように湾曲している。断面Ｓ１において、第２接続部２９の外周面は、外側に向かって凸となるように湾曲している。第２接続部２９の内周面は、大径筒部１９の内周面、及び第２縮径部２０の内周面にそれぞれ滑らかに連なっていることが好ましい。断面Ｓ１において、第２接続部２９の内周面における曲率半径は、５ｍｍ以上４０ｍｍ以下であることが好ましく、１０ｍｍ以上３０ｍｍ以下であることがより好ましい。
なお、第２接続部２９は、図２中に二点鎖線Ｌで示すように厚く形成されてもよい。
【００２３】
小径筒部２１の外径、内径は、大径筒部１９の外径、内径よりもそれぞれ小さく形成されている。小径筒部２１の上端部は第２縮径部２０の下端部に連なり、小径筒部２１は第２縮径部２０から下方に向かって延びている。小径筒部２１内の軸線Ｏに直交する断面積は、５ｃｍ２〜３００ｃｍ２であり、好ましくは１３ｃｍ２〜１９０ｃｍ２であり、より好ましくは２０ｃｍ２〜１４０ｃｍ２である。
小径筒部２１の軸線Ｏと平行な方向の長さは１５ｍｍ以上１００ｍｍ以下が好ましく、２５ｍｍ以上８０ｍｍ以下がより好ましく、３０ｍｍ以上６０ｍｍ以下がさらに好ましい。小径筒部２１の長さを上記下限値以上とすることにより、後述する第２接続部２９及び第３接続部３０の内周面における曲率半径を大きくしつつ、第１エルボ継手３６の受け口３８と漏斗１６との接着しろを確保することができる。小径筒部２１の長さを上記上限値以下とすることにより、漏斗１６の製造コストを低くすることができる。
【００２４】
断面Ｓ１において、第２縮径部２０と小径筒部２１との接続部分である第３接続部３０の内周面は、内側に向かって凸となるように湾曲している。断面Ｓ１において、第３接続部３０の外周面は、内側に向かって凹むように湾曲している。第３接続部３０の内周面は、第２縮径部２０の内周面、及び小径筒部２１の内周面にそれぞれ滑らかに連なっていることが好ましい。断面Ｓ１において、第３接続部３０の内周面における曲率半径は、５ｍｍ以上４０ｍｍ以下であることが好ましく、１０ｍｍ以上３０ｍｍ以下であることがより好ましい。
【００２５】
第１エルボ継手３６は、曲管部３７と、曲管部３７の両端部に設けられた受け口３８，３９と、を備えている。曲管部３７は、側面視で中心角がほぼ９０°になるように湾曲している。受け口３８は曲管部３７の第１端部に連なり、受け口３９は曲管部３７の第２端部に連なっている。
受け口３８の内径は、曲管部３７の内径及び小径筒部２１の外径よりも大きく、大径筒部１９の外径よりも小さい。受け口３９は、受け口３８と同様に構成されている。
受け口３８内には漏斗１６の小径筒部２１が挿入され、受け口３８と小径筒部２１とは図示しない接着剤等により固定されている。
【００２６】
図１に示すように、呼び樋４１は、直管状に形成されている。呼び樋４１は、幅方向Ｄ３に沿って延びるか、第１エルボ継手３６から離間するに従い漸次、水勾配程度にわずかに下方に傾いている。呼び樋４１の第１端部は、第１エルボ継手３６の受け口３９内に挿入され、受け口３９と呼び樋４１とは図示しない接着剤等により固定されている。
第２エルボ継手４６は、第１エルボ継手３６の曲管部３７、受け口３８，３９と同様に構成された、曲管部４７、受け口４８，４９を備えている。受け口４８内には呼び樋４１の第２端部が挿入され、受け口４８と呼び樋４１とは図示しない接着剤等により固定されている。
【００２７】
竪樋５１は、直管状に形成され、上下方向Ｄ１に沿って延びている。竪樋５１の第１端部は、第２エルボ継手４６の受け口４９内に挿入され、受け口４９と竪樋５１とは図示しない接着剤等により固定されている。
竪樋５１の上下方向Ｄ１の長さは２ｍ以上とし、３ｍ以上であることが好ましい。ここで、竪樋５１の長さとは、サイフォン雨樋システム１が呼び樋４１を備える場合には、第２エルボ継手４６より下流側に位置する竪樋５１の上下方向の距離を指す。また、サイフォン雨樋システム１が呼び樋４１を備えない場合には、竪樋５１における漏斗１６との接続部分までの上下方向の距離を指す。
【００２８】
呼び樋４１は、軒樋１１に設けられた漏斗１６から流下した雨水を水平に導水する。呼び樋４１の一端側は、第１エルボ継手３６によって漏斗１６の下端に接続される。呼び樋４１の他端側は、第２エルボ継手４６によって竪樋５１の上端に接続される。呼び樋４１の水平方向の距離は１．５ｍ以下とし、１ｍ以下であることが好ましい。ここで、呼び樋４１の水平方向の距離とは、漏斗１６の小径筒部２１の中心（軸線Ｏ）から竪樋５１の中心軸までの、呼び樋４１を含む水平方向の距離を指す。
軒樋１１、漏斗１６、第１エルボ継手３６、呼び樋４１、第２エルボ継手４６、及び竪樋５１は、塩化ビニル等の樹脂で形成されていることが好ましく、特に硬質塩化ビニルで形成されていることが好ましい。
【００２９】
竪樋５１の第２端部は、地面Ｇに接続され、地中に埋設された公知の集水マス１０１に接続されている。集水マス１０１の幅方向Ｄ３の長さは、竪樋５１の外径よりも長い。
集水マス１０１は、連結管１０２を介して、下水管等の排水構造１０３に接続されている。
【００３０】
次に、以上のように構成されたサイフォン雨樋システム１の動作について説明する。
建築物の屋根に雨水が降ると、その雨水は、屋根に沿って流れ落ちてサイフォン雨樋システム１の軒樋１１を介して漏斗１６内に流れ込む。漏斗１６における本体部１７を介して第１縮径部１８内に流れ込んだ雨水の一部は、第１接続部２８内を通して、大径筒部１９内に流れ込む。このとき、第１接続部２８の内周面が、内側に向かって凸となるように湾曲しているため、第１接続部２８の内周面に内側に向かって凸となる角部が形成されている場合等に比べて、第１接続部２８内を流れる雨水の流れの変化が緩やかになる。なお、ここで言うと角部は、例えば、２本の直線の端部同士が連結されることにより形成される形状のことを意味する。
【００３１】
第１接続部２８内を通った雨水は、大径筒部１９内を通して第２接続部２９内に流れ込む。第２接続部２９の内周面が外側に向かって凹むように湾曲しているため、第２接続部２９の内周面が角部が形成されるように凹んでいる場合等に比べて、第２接続部２９内を流れる雨水の流れの変化が緩やかになり、第２接続部２９内に渦等が生じにくくなる。また、第２接続部２９の内周面が角部が形成されるように凹んでいる場合等に比べて、漏斗１６に作用する外力による応力が第２接続部２９に集中しにくくなる。
第２接続部２９内を通った雨水は、第２縮径部２０内を通して第３接続部３０内に流れ込む。第３接続部３０の内周面は内側に向かって凸となるように湾曲しているため、第３接続部３０の内周面に内側に向かって凸となる角部が形成されている場合等に比べて、第３接続部３０内を流れる雨水の流れの変化が緩やかになる。
【００３２】
漏斗１６の小径筒部２１内から第１エルボ継手３６、呼び樋４１、第２エルボ継手４６、及び竪樋５１内を流れる雨水は、集水マス１０１内に流れ込む。さらにこの雨水は、連結管１０２を介して排水構造１０３内に流れ込んで適宜処理される。
このとき、例えば雨水の流量が一定値以上になる等して、サイフォン雨樋システム１内が雨水で満水状態になり、サイフォン現象が発生したとする。この場合において、漏斗１６の第１接続部２８の内周面、第２接続部２９の内周面、及び第３接続部３０の内周面が前述のように形成されているため、漏斗１６の接続部２８，２９，３０内を流れる雨水の速度が低下しにくくなる。
【００３３】
以上説明したように、本実施形態の漏斗１６によれば、軒樋１１、及び漏斗１６の本体部１７を介して第１縮径部１８内に流れ込んだ雨水は、第１接続部２８内を通して、大径筒部１９内に流れ込む。このとき、第１接続部２８の内周面が、内側に向かって凸となるように湾曲しているため、第１接続部２８の内周面に内側に向かって凸となる角部が形成されている場合等に比べて、第１接続部２８内を流れる雨水の流れの変化が緩やかになる。このため、第１接続部２８内を流れる雨水に圧力損失が生じるのが抑えられ、第１接続部２８内を流れる雨水の速度が低下しにくくなる。従って、漏斗１６が、サイフォン現象による充分な排水能力を発揮しやすくすることができる。
また、第１接続部２８内に雨水が溜まりにくくなり、第１接続部２８における排水性を向上させることができる。
【００３４】
第３接続部３０の内周面は、内側に向かって凸となるように湾曲している。このため、第３接続部３０の内周面に内側に向かって凸となる角部が形成されている場合等に比べて、第３接続部３０内を流れる雨水の流れの変化が緩やかになって圧力損失が生じるのが抑えられる。従って、漏斗１６が、サイフォン現象による充分な排水能力をさらに発揮しやすくすることができる。
第２接続部２９の内周面は、外側に向かって凹むように湾曲している。第２接続部２９の内周面が角部が形成されるように凹んでいる場合等に比べて、第２接続部２９内を流れる雨水の流れの変化が緩やかになり、第２接続部２９内に渦等が生じにくくなる。これにより、第２接続部２９内を流れる雨水に圧力損失が生じるのが抑えられ、漏斗１６が、サイフォン現象による充分な排水能力をさらに発揮しやすくすることができる。また、漏斗１６は、軒樋１１及び呼び樋４１等の気温差による熱伸縮等により、外力を受ける場合がある。このような場合であっても、第２接続部２９の内周面が角部が形成されるように凹んでいる場合等に比べて、第２接続部２９に応力が集中しにくくなり、第２接続部２９が破断し難くなる。
【００３５】
また、本実施形態のサイフォン雨樋システム１によれば、サイフォン現象による充分な排水能力を発揮しやすくした漏斗１６を用いてサイフォン雨樋システム１を構成することができる。
【００３６】
本実施形態の漏斗１６は、以下に説明するようにその構成を様々に変形させることができる。
前述のように構成された漏斗１６を、図３に示すように、前述の第１エルボ継手３６よりも内径の大きい第１エルボ継手５６に固定する場合について説明する。なお、ここで用いられる変形例の漏斗１６Ａは、本実施形態の漏斗１６の各構成に対して、第２縮径部２０及び小径筒部２１を備えていない。
第１エルボ継手５６は、内径、外径以外は第１エルボ継手３６の曲管部３７、受け口３８，３９と同様に構成され、曲管部５７、受け口５８，５９を備えている。受け口５８の内径は、受け口３８の内径、及び漏斗１６Ａの大径筒部１９の外径よりもそれぞれ大きい。
【００３７】
図４に示すように、漏斗１６Ａは、漏斗１６を大径筒部１９と第２接続部２９との間に規定される切断面Ｓ３で、漏斗１６から第２縮径部２０及び小径筒部２１を切り離して得られる。漏斗１６の切断には、公知のバンドソー等が用いられる。
図３に示すように、第１エルボ継手５６の受け口５８内には漏斗１６Ａの大径筒部１９が挿入され、受け口５８と大径筒部１９とは図示しない接着剤等により固定される。
本実施形態の漏斗１６によれば、漏斗１６に接続するエルボ継手を、大径筒部１９に対応する内径の大きい第１エルボ継手５６と、小径筒部２１に対応する内径の小さい第１エルボ継手３６とで、選択して用いることができる。
なお、漏斗１６に、エルボ継手に代えて竪樋５１等を接続してもよい。
【００３８】
図５に示す変形例のサイフォン雨樋システム２は、本実施形態のサイフォン雨樋システム１の漏斗１６に代えて、漏斗６１を備えている。漏斗６１は、本実施形態の漏斗１６の本体部１７の第１縮径部１８に代えて、本体部６２の第１縮径部６３を備えている。断面Ｓ１において、第１縮径部６３の内周面は内側に向かって凸となるように湾曲し、第１縮径部６３の外周面は内側に向かって凹むように湾曲している。この変形例では、第１接続部２８は、第１縮径部６３と一体となって互いに滑らかに連なっている。
このように構成された本変形例の漏斗６１及びサイフォン雨樋システム２によっても、本実施形態の漏斗１６及びサイフォン雨樋システム１と同様の効果を奏することができる。
【００３９】
さらにこのように構成された変形例の漏斗６１（漏斗６１Ａ）を、図６に示すように、前述の第１エルボ継手５６に固定する場合について説明する。なお、ここで用いられる変形例の漏斗６１Ａは、漏斗６１の各構成に対して、第２縮径部２０及び小径筒部２１を備えていない。
【００４０】
図７に示すように、漏斗６１Ａは、漏斗６１を大径筒部１９と第２接続部２９との間に規定される切断面Ｓ３で漏斗６１から第２縮径部２０及び小径筒部２１を切り離して得られる。
図６に示すように、第１エルボ継手５６の受け口５８内には漏斗６１Ａの大径筒部１９が挿入され、受け口５８と大径筒部１９とは図示しない接着剤等により固定される。
【００４１】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、漏斗１６，６１は、第２縮径部２０及び小径筒部２１を備えなくてもよい。
第２接続部２９の内周面が外側に向かって凹むように湾曲していなく、角部が形成されるように凹んでいてもよい。第３接続部３０の内周面が、内側に向かって凸となるように湾曲していなく、この内周面に内側に向かって凸となる角部が形成されていてもよい。
また、サイフォン雨樋システムが第１エルボ継手３６、呼び樋４１、及び第２エルボ継手４６を備えず、漏斗１６と竪樋５１とを直接接続してもよい。
【符号の説明】
【００４２】
１，２  サイフォン雨樋システム
１１  軒樋
１６，１６Ａ，６１，６１Ａ  漏斗
１７，６２  本体部
１７ａ  凹部
１８，６３  第１縮径部
１９  大径筒部
２０  第２縮径部
２１  小径筒部
２４  底壁部
２４ａ  落し口
２８  第１接続部（接続部分）
２９  第２接続部（接続部分）
３０  第３接続部（接続部分）
５１  竪樋
Ｄ２  延在方向（水平面に沿う方向）
Ｏ    軸線
Ｓ１    断面
【図１】
2019138090.tif 000003
【図２】
2019138090.tif 000004
【図３】
2019138090.tif 000005
【図４】
2019138090.tif 000006
【図５】
2019138090.tif 000007
【図６】
2019138090.tif 000008
【図７】
2019138090.tif 000009